(57)【要約】【課題】撮影画像内の反射物に撮影者の顔が撮影者の意図に反して写り込んだまま公開されることを防止すること。【解決手段】撮影者の顔画像情報を記憶する撮影者記憶手段３４と、画像の左右反転を行なう反転手段３６と、撮影画像から顔画像を検出する顔検出手段３８と、左右反転された撮影画像から検出された顔画像及び左右反転されていない撮影画像から検出されて反転手段３６により左右反転された顔画像のうち少なくとも一方の顔画像と、撮影者記憶手段３４に記憶されている顔画像情報とを照合して、撮影画像内の反射物に撮影者の顔が写り込んでいることを検出する顔照合手段４０と、撮影者の顔の写り込みが検出された場合、撮影画像に撮影者が写り込んでいることを示す警告の報知などを制御するＣＰＵ６０を備えた。【選択図】  図８
2012119912.tif 000002
【特許請求の範囲】
【請求項１】
撮影者の顔画像を示す顔画像情報を記憶する撮影者記憶手段と、
被写体を撮影する撮影手段と、
画像の左右反転を行なう反転手段と、
前記撮影手段により得られて前記反転手段により左右反転された撮影画像及び前記撮影手段により得られて前記反転手段により左右反転されていない撮影画像のうち少なくとも一方の撮影画像から、顔画像を検出する顔検出手段と、
前記左右反転された撮影画像から検出された顔画像及び前記左右反転されていない撮影画像から検出されて前記反転手段により左右反転された顔画像のうち少なくとも一方の顔画像と、前記撮影者記憶手段に記憶されている前記顔画像情報とを照合して、前記撮影画像内の反射物に撮影者の顔が写り込んでいることを検出する照合手段と、
前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする撮影のうち少なくともひとつを制御する制御手段と、
を備えたことを特徴とする撮影装置。
【請求項２】
前記顔検出手段は、前記撮影手段により得られて前記反転手段により左右反転された撮影画像及び前記撮影手段により得られて前記反転手段により左右反転されていない撮影画像の両方から、前記顔画像の検出を行なうことを特徴とする請求項１に記載の撮影装置。
【請求項３】
撮影者の顔画像を取得する撮影者顔画像取得手段と、
前記撮影者顔画像取得手段により取得された前記撮影者の顔画像を左右反転する反転手段と、
前記左右反転された前記撮影者の顔画像を示す顔画像情報を記憶する撮影者記憶手段と、
被写体を撮影する撮影手段と、
前記撮影手段により得られた撮影画像から顔画像を検出する顔検出手段と、
前記顔検出手段により検出された顔画像と前記撮影者記憶手段に記憶されている前記顔画像情報とを照合して、前記撮影画像内の反射物に撮影者の顔が写り込んでいることを検出する照合手段と、
前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする本撮影のうち少なくともひとつを制御する制御手段と、
を備えたことを特徴とする撮影装置。
【請求項４】
本撮影装置の外観形状及び前記左右反転した本撮影装置の外観形状のうち少なくとも一方の外観形状を記憶する装置外観形状記憶手段と、
前記撮影手段により得られて前記反転手段により左右反転された撮影画像及び前記撮影手段により得られて前記反転手段により左右反転されていない撮影画像のうち少なくとも一方から、前記装置外観形状記憶手段に記憶されている前記外観形状を検出する装置検出手段と、を備え、
前記制御手段は、前記照合手段により前記撮影画像に撮影者の顔画像が写り込んでいることが検出されなかった場合でも、前記装置検出手段により前記外観形状が検出された場合には、前記撮影者の顔の写り込みが検出された場合の制御を行うことを特徴とする請求項１から３のうちいずれか１項に記載の撮影装置。
【請求項５】
前記装置検出手段は、前記撮影手段により得られて前記反転手段により左右反転された撮影画像及び前記撮影手段により得られて前記反転手段により左右反転されていない撮影画像の両方から、前記外観形状の検出を行なうことを特徴とする請求項４に記載の撮影装置。
【請求項６】
本撮影装置の筐体前面に配置され、特定の発光パターンで発光する発光手段と、
前記撮影画像から前記発光手段の発光パターンを検出する発光パターン検出手段と、を備え、
前記制御手段は、前記発光パターン検出手段により前記特定の発光パターンが検出された場合には、前記撮影画像に撮影者の顔が写り込んでいる場合の制御を行うことを特徴とする請求項１から５のうちいずれか１項に記載の撮影装置。
【請求項７】
前記特定の発光パターンは、点滅、発光色、又は、これらの組み合わせによる特定の発光パターンであることを特徴とする請求項６に記載の撮影装置。
【請求項８】
本撮影装置の筐体前面に表示される特定のデザインであって特定の形状、模様若しくは色彩又はこれらを組み合わせた特定のデザイン及び前記特定のデザインを反転したデザインを記憶するデザイン記憶手段と、
前記撮影手段により得られた撮影画像及び前記反転手段により左右反転された撮影画像のうち少なくとも一方から、前記デザイン記憶手段に記憶されている前記デザインを検出するデザイン検出手段と、を備え、
前記制御手段は、前記照合手段により前記撮影画像に撮影者の顔画像が写り込んでいることが検出されなかった場合でも、前記デザイン検出手段により前記デザインが検出された場合には、前記撮影画像に撮影者の顔が写り込んでいる場合の制御を行うことを特徴とする請求項１から７のうちいずれか１項に記載の撮影装置。
【請求項９】
前記デザイン検出手段は、前記撮影手段により得られて前記反転手段により左右反転された撮影画像及び前記撮影手段により得られて前記反転手段により左右反転されていない撮影画像の両方から、前記デザインの検出を行なうことを特徴とする請求項８に記載の撮影装置。
【請求項１０】
本撮影装置の筐体背面に撮影者の顔画像を撮影する撮影デバイスが設けられていることを特徴とする請求項１から９のうちいずれか１項に記載の撮影装置。
【請求項１１】
撮影者の認証情報を入力する個人認証情報入力デバイスと、人物の顔画像情報を蓄積したデータベースにアクセスして前記撮影者の認証情報に対応する前記撮影者の顔画像情報を取得するデータベース・インタフェースとが設けられていることを特徴とする請求項１から９のうちいずれか１項に記載の撮影装置。
【請求項１２】
前記照合手段は、画像照合を行なう際に色で照合を行わず輝度で照合を行なうことを特徴とする請求項１から１１のうちいずれか１項に記載の撮影装置。
【請求項１３】
前記反転手段は、左右反転及び上下反転の両方を行い、
前記照合手段は、左右反転画像及び上下反転画像の両方を用いて照合を行うことを特徴とする請求項１から１２のうちいずれか１項に記載の撮影装置。
【請求項１４】
前記照合手段は、前記左右反転画像よりも前記上下反転画像を優先して照合を行うことを特徴とする請求項１３に記載の撮影装置。
【請求項１５】
前記撮影者記憶手段は、複数の角度から撮影された顔画像情報を記憶し、
前記照合手段は、前記撮影者記憶手段から撮影画角に対応する顔画像情報を選択して照合を行うことを特徴とする請求項１から１４のうちいずれか１項に記載の撮影装置。
【請求項１６】
前記制御手段は、撮影者の写り込みが検出された場合、警告の報知とともに、撮影画像中に写り込んだ撮影者の顔画像を目立せる表示制御を行うことを特徴とする請求項１から１５のうちいずれか１項に記載の撮影装置。
【請求項１７】
前記制御手段は、撮影者の写り込みが検出された場合、前記顔画像の輝度を下げる画像処理、前記顔画像の色を薄くする画像処理、及び、前記顔画像をぼかす画像処理のうち少なくともひとつの画像処理を行なうことを特徴とする請求項１から１６のうちいずれか１項に記載の撮影装置。
【請求項１８】
前記制御手段は、撮影者の写り込みが検出された場合、露出制御、合焦制御、ホワイトバランス調整及びフラッシュ調光のうち少なくともひとつの撮影制御により、本撮影時の撮影画像中に写り込む撮影者の顔画像が目視で判別できなくすることを特徴とする請求項１から１６のうちいずれか１項に記載の撮影装置。
【請求項１９】
偏光フィルタを備え、
前記制御手段は、撮影者の写り込みが検出された場合、本撮影時、前記偏光フィルタを回動して撮影者が写り込ませない制御を行うことを特徴とする請求項１から１６のうちいずれか１項に記載の撮影装置。
【請求項２０】
前記照合手段は、セルフタイマ撮影時、又は、特定時間以上のタイマによるセルフタイマ撮影時には、照合を行なわないことを特徴とする請求項１から１９のうちいずれか１項に記載の撮影装置。
【請求項２１】
撮影者の顔画像を示す顔画像情報を記憶する記憶手段と、
画像の左右反転を行なう反転手段と、
任意の被写体を撮影して得られて前記反転手段により左右反転された撮影画像及び前記反転手段により左右反転されていない撮影画像のうち少なくとも一方の撮影画像から、顔画像を検出する顔検出手段と、
前記左右反転された撮影画像から検出された顔画像及び前記左右反転されていない撮影画像から検出されて前記反転手段により左右反転された顔画像のうち少なくとも一方の顔画像と、前記記憶手段に記憶されている前記顔画像情報とを照合して、前記撮影画像内の反射物に撮影者の顔が写り込んでいることを検出する照合手段と、
前記撮影者の顔の写り込みが検出された場合、前記撮影画像に撮影者が写り込んでいることを示す警告の報知、及び、前記撮影画像中の前記顔画像に対し目視で判別できなくする画像処理のうち少なくともひとつを制御する制御手段と、
を備えたことを特徴とする画像処理装置。
【請求項２２】
撮影者の顔画像を取得する画像取得手段と、
前記画像取得手段により取得された前記撮影者の顔画像を左右反転する反転手段と、
前記左右反転された撮影者の顔画像を示す顔画像情報を記憶する記憶手段と、
任意の被写体を撮影する撮影手段と、
前記撮影手段により得られた撮影画像から顔画像を検出する顔検出手段と、
前記顔検出手段により検出された顔画像と前記記憶手段に記憶されている前記顔画像情報とを照合して、前記撮影画像内の反射物に撮影者の顔が写り込んでいることを検出する照合手段と、
前記撮影者の顔の写り込みが検出された場合、前記撮影画像に撮影者が写り込んでいることを示す警告の報知、及び、前記撮影画像中の前記顔画像に対し目視で判別できなくする画像処理のうち少なくともひとつを制御する制御手段と、
を備えたことを特徴とする画像処理装置。
【請求項２３】
撮影手段、撮影者の顔画像情報を記憶する記憶手段、及び、画像の左右反転を行なう反転手段を用いる撮影方法であって、
前記撮影手段により、被写体を撮影するステップと、
前記反転手段により、前記撮影手段により得られた撮影画像を左右反転するステップと、
前記左右反転された撮影画像から顔画像を検出するステップと、
前記左右反転された撮影画像から検出された顔画像と前記記憶手段に記憶されている顔画像情報とを照合して、前記撮影画像内の反射物に撮影者の顔が写り込んでいることを検出するステップと、
を備え、
前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする本撮影のうち少なくともひとつを行うことを特徴とする撮影方法。
【請求項２４】
撮影手段、撮影者の顔画像情報を記憶する記憶手段、及び、画像の左右反転を行なう反転手段を用いる撮影方法であって、
前記撮影手段により、被写体を撮影するステップと、
前記撮影手段により得られた撮影画像から顔画像を検出するステップと、
前記反転手段により、前記検出された顔画像を左右反転するステップと、
前記左右反転された顔画像と前記記憶手段に記憶されている顔画像情報とを照合して、前記撮影画像内の反射物に撮影者の顔が写り込んでいることを検出するステップと、
を備え、
前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする本撮影のうち少なくともひとつを行うことを特徴とする撮影方法。
【請求項２５】
撮影者の顔画像を取得する画像取得手段、画像の左右反転を行なう反転手段、記憶手段、及び、撮影手段を用いる撮影方法であって、
前記画像取得手段により、撮影者の顔画像を取得するステップと、
前記反転手段により、前記取得された撮影者の顔画像を左右反転するステップと、
前記左右反転された撮影者の顔画像を示す顔画像情報を前記記憶手段に記憶させるステップと、
前記撮影手段により、被写体を撮影するステップと、
前記撮影手段により得られた撮影画像から顔画像を検出するステップと、
前記検出された顔画像と前記記憶手段に記憶されている顔画像情報とを照合して、前記撮影画像内の反射物に撮影者の顔が写り込んでいることを検出するステップと、
を備え、
前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする本撮影のうち少なくともひとつを行うことを特徴とする撮影方法。
【請求項２６】
撮影者の顔画像情報を記憶する記憶手段、及び、画像の左右反転を行なう反転手段を用いる画像処理方法であって、
前記反転手段により、任意の被写体を撮影して得られた撮影画像を左右反転するステップと、
前記左右反転された撮影画像から顔画像を検出するステップと、
前記左右反転された撮影画像から検出された顔画像と前記記憶手段に記憶されている顔画像情報とを照合して、前記撮影画像内の反射物に撮影者の顔が写り込んでいることを検出するステップと、
を備え、
前記撮影者の顔の写り込みが検出された場合、前記撮影画像に撮影者が写り込んでいることを示す警告の報知、及び、前記撮影画像中の前記顔画像に対し目視で判別できなくする画像処理のうち少なくともひとつを行うことを特徴とする画像処理方法。
【請求項２７】
撮影者の顔画像情報を記憶する記憶手段、及び、画像の左右反転を行なう反転手段を用いる画像処理方法であって、
任意の被写体を撮影して得られた撮影画像から顔画像を検出するステップと、
前記反転手段により、前記検出された顔画像を左右反転するステップと、
前記左右反転された顔画像と前記記憶手段に記憶されている顔画像情報とを照合して、前記撮影画像内の反射物に撮影者の顔が写り込んでいることを検出するステップと、
を備え、
前記撮影者の顔の写り込みが検出された場合、前記撮影画像に撮影者が写り込んでいることを示す警告の報知、及び、前記撮影画像中の前記顔画像に対し目視で判別できなくする画像処理のうち少なくともひとつを行うことを特徴とする画像処理方法。
【請求項２８】
撮影者の顔画像を取得する画像取得手段、画像の左右反転を行なう反転手段、及び、記憶手段を用いる画像処理方法であって、
前記画像取得手段により、撮影者の顔画像を取得するステップと、
前記反転手段により、前記取得された撮影者の顔画像を左右反転するステップと、
前記左右反転された撮影者の顔画像を示す顔画像情報を前記記憶手段に記憶させるステップと、
任意の被写体を撮影して得られた撮影画像から顔画像を検出するステップと、
前記検出された顔画像と前記記憶手段に記憶されている顔画像情報とを照合して、前記撮影画像内の反射物に撮影者の顔が写り込んでいることを検出するステップと、
前記撮影者の顔の写り込みが検出された場合、前記撮影画像に撮影者が写り込んでいることを示す警告の報知、及び、前記撮影画像中の前記顔画像に対し目視で判別できなくする画像処理のうち少なくともひとつを行うことを特徴とする画像処理方法。
【発明の詳細な説明】
【技術分野】
【０００１】
本発明は、撮影画像内の反射物に撮影者の顔が写り込んだまま公開されることを防止することができる撮影装置、画像処理装置、撮影方法及び画像処理方法に関する。
【背景技術】
【０００２】
特許文献１には、特定の人の顔のデータベースを備え、前記データベースに登録されていない人の顔が撮影画像中に検出された場合、その人の顔を隠す暗号化処理を行なうことで、人のプライバシーを保護する構成が開示されている。
【０００３】
特許文献２には、カメラ自身の外観形状や特徴をカメラに記録し、前記記録データを左右反転した画像と、鏡を置いて撮影された撮影画像とで、特徴類似判定及びカメラ検出を行ない、カメラ自身が検出された場合には、カメラ自身の部分を切り出して記録する構成が開示されている。
【先行技術文献】
【特許文献】
【０００４】
【特許文献１】特開２００４−６２５６０号公報
【特許文献２】特開２０１０−１４０８５号公報
【発明の概要】
【発明が解決しようとする課題】
【０００５】
カメラでの撮影時、図１９に示すように鏡などの反射物が存在する撮影シーンでは、撮影画像中の反射物に撮影者が写り込んでしまうことがある。特に、光学ファインダが無く、電子ファインダとして背面の液晶表示画面を顔から離して見るタイプのコンパクトデジタルカメラでは、撮影画角内の主要被写体の近くに鏡などの反射物あると撮影者の顔が写りこみ易い。
【０００６】
したがって、撮影者本人が顔の非公開を望んでいても、撮影者がその顔の写り込みに気が付かない場合には、撮影者の意思に反して撮影画像がそのまま公開されてしまうという問題があった。例えば、撮影者が写り込んだ画像を、インターネット上のブログにアップしたり、電子オークション向け画像としてアップしたりすると、個人特定（即ち個人情報流出）となってしまう。
【０００７】
特許文献１に記載の発明は、被写体のプライバシー保護を目的としているが、撮影者が反射物に写り込んでいるか否かとは無関係であり、人の顔は一般に左右非対称なので、登録された顔と検出された顔とが一致しなければ、プライバシー保護を達成できない。
【０００８】
特許文献２に記載の発明は、カメラの筐体の画像を得ることは可能であるが、撮影者のプライバシー保護を達成しない。
【０００９】
本発明はこのような事情に鑑みてなされたもので、撮影画像内の反射物に撮影者の顔が撮影者の意図に反して写り込んだまま公開されることを防止することを目的とする。
【課題を解決するための手段】
【００１０】
前記目的を達成するために、本発明は、撮影者の顔画像を示す顔画像情報を記憶する撮影者記憶手段と、被写体を撮影する撮影手段と、画像の左右反転を行なう反転手段と、前記撮影手段により得られて前記反転手段により左右反転された撮影画像及び前記撮影手段により得られて前記反転手段により左右反転されていない撮影画像のうち少なくとも一方の撮影画像から、顔画像を検出する顔検出手段と、前記左右反転された撮影画像から検出された顔画像及び前記左右反転されていない撮影画像から検出されて前記反転手段により左右反転された顔画像のうち少なくとも一方の顔画像と、前記撮影者記憶手段に記憶されている前記顔画像情報とを照合して、前記撮影画像内の反射物に撮影者の顔が写り込んでいることを検出する照合手段と、前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする撮影のうち少なくともひとつを制御する制御手段と、を備えたことを特徴とする撮影装置を提供する。
【００１１】
即ち、鏡などの反射物が存在する撮影シーンにおいて、左右反転した顔画像を照合に用いることで、撮影画像内の反射物に撮影者の顔が写り込んでいることが確実に検出されて警告報知等の制御が行われるので、撮影画像内の反射物に撮影者の顔が撮影者の意図に反して写り込んだまま公開されることを、防止することができる。
【００１２】
本発明の一実施形態にて、前記顔検出手段は、前記撮影手段により得られて前記反転手段により左右反転された撮影画像及び前記撮影手段により得られて前記反転手段により左右反転されていない撮影画像の両方から、前記顔画像の検出を行なうことを特徴とする。
【００１３】
また、本発明は、撮影者の顔画像を取得する撮影者顔画像取得手段と、前記撮影者顔画像取得手段により取得された前記撮影者の顔画像を左右反転する反転手段と、前記左右反転された前記撮影者の顔画像を示す顔画像情報を記憶する撮影者記憶手段と、被写体を撮影する撮影手段と、前記撮影手段により得られた撮影画像から顔画像を検出する顔検出手段と、前記顔検出手段により検出された顔画像と前記撮影者記憶手段に記憶されている前記顔画像情報とを照合して、前記撮影画像内の反射物に撮影者の顔が写り込んでいることを検出する照合手段と、前記撮影者の顔の写り込みが検出された場合、前記撮影画像に撮影者が写り込んでいることを示す警告の報知、前記撮影画像中の前記顔画像に対し目視で判別できなくする画像処理、本撮影の禁止、及び、撮影画像中に写り込む撮影者の顔画像が目視で判別できなくする本撮影のうち少なくともひとつを制御する制御手段と、を備えたことを特徴とする撮影装置を提供する。
【００１４】
即ち、鏡などの反射物が存在する撮影シーンにおいて、左右反転した撮影者の顔画像情報を照合に用いることで、撮影画像内の反射物に撮影者の顔が写り込んでいることが確実に検出されて警告報知等の制御が行われるので、撮影画像内の反射物に撮影者の顔が撮影者の意図に反して写り込んだまま公開されることを、防止することができる。
【００１５】
本発明の一実施形態にて、本撮影装置の外観形状及び前記左右反転した本撮影装置の外観形状のうち少なくとも一方の外観形状を記憶する装置外観形状記憶手段と、前記撮影手段により得られて前記反転手段により左右反転された撮影画像及び前記撮影手段により得られて前記反転手段により左右反転されていない撮影画像のうち少なくとも一方から、前記装置外観形状記憶手段に記憶されている前記外観形状を検出する装置検出手段と、を備え、前記制御手段は、前記照合手段により前記撮影画像に撮影者の顔画像が写り込んでいることが検出されなかった場合でも、前記装置検出手段により前記外観形状が検出された場合には、前記撮影者の顔の写り込みが検出された場合の制御を行うことを特徴とする。即ち、撮影者の顔画像による照合で不一致と判定された場合でも、本撮影装置の写り込みが検出された場合には、撮影者の顔も写り込んでいる可能性が高いので、撮影画像内の反射物に撮影者の顔が撮影者の意図に反して写り込んだまま公開されることを確実に防止することができる。例えば、撮影者の顔の一部が撮影装置の筐体で隠れていたが、顔の他の部分が反射物に写り込んでいたような場合でも、警告報知等の制御が確実に行われる。
【００１６】
本発明の一実施形態にて、前記装置検出手段は、前記撮影手段により得られて前記反転手段により左右反転された撮影画像及び前記撮影手段により得られて前記反転手段により左右反転されていない撮影画像の両方から、前記外観形状の検出を行なうことを特徴とする。
【００１７】
本発明の一実施形態にて、本撮影装置の筐体前面に配置され、特定の発光パターンで発光する発光手段と、前記撮影画像から前記発光手段の発光パターンを検出する発光パターン検出手段と、を備え、前記制御手段は、前記発光パターン検出手段により前記特定の発光パターンが検出された場合には、前記撮影画像に撮影者の顔が写り込んでいる場合の制御を行うことを特徴とする。即ち、撮影者の顔画像による照合で不一致と判定された場合でも、本撮影装置の筐体前面から発光する特定の発光パターンが検出された場合には、撮影者の顔も写り込んでいる可能性が高いので、撮影画像内の反射物に撮影者の顔が撮影者の意図に反して写り込んだまま公開されることを確実に防止することができる。例えば、撮影者の顔の一部が撮影装置の筐体で隠れていたが、顔の他の部分が反射物に写り込んでいたような場合でも、警告報知等の制御が確実に行われる。
【００１８】
本発明の一実施形態にて、本撮影装置の筐体前面に表示される特定のデザインであって特定の形状、模様若しくは色彩又はこれらを組み合わせた特定のデザイン及び前記特定のデザインを反転したデザインを記憶するデザイン記憶手段と、前記撮影手段により得られた撮影画像及び前記反転手段により左右反転された撮影画像のうち少なくとも一方から、前記デザイン記憶手段に記憶されている前記デザインを検出するデザイン検出手段と、を備え、前記制御手段は、前記照合手段により前記撮影画像に撮影者の顔画像が写り込んでいることが検出されなかった場合でも、前記デザイン検出手段により前記デザインが検出された場合には、前記撮影画像に撮影者の顔が写り込んでいる場合の制御を行うことを特徴とする。即ち、撮影者の顔画像による照合で不一致と判定された場合でも、本撮影装置の写り込みが検出された場合には、撮影者の顔も写り込んでいる可能性が高いので、撮影画像内の反射物に撮影者の顔が撮影者の意図に反して写り込んだまま公開されることを確実に防止することができる。
【００１９】
本発明の一実施形態にて、本撮影装置の筐体背面に撮影者の顔画像を撮影する撮影デバイスが設けられていることを特徴とする。即ち、筐体背面から撮影者の顔画像を撮影することで、撮影者の手間がかからないようにすることができる。
【００２０】
本発明の一実施形態にて、撮影者の認証情報を入力する個人認証情報入力デバイスと、人物の顔画像情報を蓄積したデータベースにアクセスして前記撮影者の認証情報に対応する前記撮影者の顔画像情報を取得するデータベース・インタフェースとが設けられていることを特徴とする。即ち、個人認証により撮影者の顔画像が特定されるので、撮影者の顔画像認識の信憑性が高くなる。
【００２１】
本発明の一実施形態にて、前記照合手段は、画像照合を行なう際に色で照合を行わず輝度で照合を行なうことを特徴とする。即ち、反射物の物体色の影響が大きい場合でも、撮影画像内の反射物への写り込みを確実に検出できる。例えば、赤い車に顔が写り込んでいる場合でも写り込みを検出できる。
【発明の効果】
【００２２】
本発明によれば、撮影画像内の反射物に撮影者の顔が撮影者の意図に反して写り込んだまま公開されることを防止することができる。
【図面の簡単な説明】
【００２３】
【図１】第１実施形態における撮影装置の一例を示すブロック図
【図２】第１実施形態の撮影装置における撮影処理例を示すフローチャート
【図３】警告表示の一例を示す説明図
【図４】撮影者認識処理の第１の例を示すフローチャート
【図５】撮影者認識処理の第２の例を示すフローチャート
【図６】第２実施形態における撮影装置の一例を示すブロック図
【図７】第２実施形態の撮影装置における撮影処理例を示すフローチャート
【図８】第３実施形態における撮影装置の一例を示すブロック図
【図９】第４実施形態における撮影装置の一例を示すブロック図
【図１０】第５実施形態における撮影装置の一例を示すブロック図
【図１１】第５実施形態の撮影装置における撮影処理例を示すフローチャート
【図１２】第６実施形態における撮影装置の一例を示すブロック図
【図１３】第６実施形態の撮影装置における撮影処理例を示すフローチャート
【図１４】第７実施形態における撮影装置の一例を示すブロック図
【図１５】第７実施形態の撮影装置における撮影処理例を示すフローチャート
【図１６】第８実施形態における撮影装置の一例を示すブロック図
【図１７】第８実施形態における撮影者認識処理例を示すフローチャート
【図１８】第８実施形態の撮影装置における撮影処理例を示すフローチャート
【図１９】反射物が存在する撮影シーンと撮影者の様子を示す説明図
【発明を実施するための形態】
【００２４】
以下、添付図面に従って、本発明の実施形態について、詳細に説明する。
【００２５】
＜第１実施形態＞
図１は、第１実施形態における撮影装置の一例としてのカメラ１０を示すブロック図である。
【００２６】
図１において、本例のカメラ１０は、撮影レンズ１２、撮像素子１４、タイミングジェネレータ（以下「ＴＧ」という）１６、Ａ／Ｄ変換回路１８、点順次面順次変換回路２０、ＲＧＢ／ＹＣ変換回路２２、画像バッファ２４、圧縮回路２６、ＬＣＤ３０、及び、ＣＰＵ６０を含んで構成されている。
【００２７】
撮影レンズ１２は、ズームレンズ、フォーカスレンズ、アイリス（絞り）などから構成される。ズームレンズ及びフォーカスレンズは、撮影レンズ１２の光軸に沿って移動自在に設けられている。ズームレンズが移動させることで、撮影倍率が変化する。また、フォーカスレンズが移動することで、焦点合わせが行われる。また、アイリスの開口量（絞り量）が変化することで、撮像素子１４の受光量が調節される。
【００２８】
撮像素子１４は、ＣＭＯＳイメージセンサ、ＣＣＤイメージセンサなどからなる。撮像素子１４は、光電変換素子（撮像画素）が配列された受光面に撮影レンズ１２によって結像された被写体光を光電変換し、アナログの画像信号（撮像画像）を出力する。撮像素子１４は、いわゆる電子シャッタ機能を有しており、ＴＧ１６からシャッタパルス信号が入力されると、それまでに蓄積された電荷を掃き出して消去する。即ち、ＴＧ１６により撮像素子１４における電荷蓄積時間（シャッタスピード）が調節される。撮像素子１４における露出量は、電子シャッタのシャッタスピードとアイリスの絞り量とによって定められる。
【００２９】
撮像素子１４から出力されたアナログの画像信号は、Ａ／Ｄ変換回路１８によりデジタルの画像信号に変換され、点順次面順次変換回路２０により点順次から面順次に変換され、ＲＧＢ／ＹＣ変換回路２２によりＲ（赤）信号，Ｇ（緑）信号，Ｂ（青）信号の各色の信号からＹ（輝度）信号及びＣ（色）信号に変換され、画像バッファ２４に出力される。
【００３０】
撮影レンズ１２、撮像素子１４、ＴＧ１６、Ａ／Ｄ変換回路１８、点順次面順次変換回路２０、ＲＧＢ／ＹＣ変換回路２２、及び画像バッファ２４を含んで、被写体を撮影する撮像手段１１が構成される。
【００３１】
画像バッファ２４に一時的に記憶された撮影画像は、圧縮回路２６にりデータ圧縮されて、記録媒体２８に記録される。
【００３２】
ＣＰＵ（Central Processing Unit）６０は、所定のプログラムを実行することにより、カメラ１０の各部を制御する。
【００３３】
本実施形態のカメラ１０は、撮影者を認識するとともに撮影者の顔画像を含む撮影者情報を取得する撮影者認識手段３２と、撮影者の顔画像情報を含む撮影者情報を記憶する撮影者記憶手段３４と、画像の左右反転を行なう左右反転手段３６と、撮像手段１１により得られて左右反転手段３６により左右反転された撮影画像から顔画像を検出する顔検出手段３８と、顔検出手段３８によって検出された顔画像と撮影者記憶手段３４に記憶されている撮影者の顔画像情報とを照合して、撮影画像内の反射物に撮影者の顔が写り込んでいることを検出する顔照合手段４０を備える。
【００３４】
撮影者記憶手段３４は、例えばＥＥＰＲＯＭ等の不揮発性記憶デバイスによって構成される。顔検出手段３８及び顔照合手段４０は、例えばマイクロコンピュータや回路デバイスによって構成される。
【００３５】
撮影者認識手段３２は、例えば、カメラ１０の筐体背面に設けられて、撮影者の顔画像を撮影するサブ・カメラ（小型の撮影デバイス）と、マイクロコンピュータ等の制御デバイスを含んで構成される。例えば、制御デバイスは、後述のレリーズボタン（シャッタスイッチ）の押下時に、撮像手段１１により被写体を撮影するとともに、サブ・カメラにより撮影者を撮影する。これにより撮影者の顔画像を確実に取得することができる。
【００３６】
撮影者認識手段３２を、撮影者の認証情報を入力する個人認証情報入力デバイスと、人物の顔画像情報を蓄積したデータベースにアクセスして、入力された撮影者の認証情報に対応する撮影者の顔画像情報を取得するデータベース・インタフェースを含んで構成してもよい。例えば、指紋、静脈などによって個人認証情報を入力する接触型の個人認証入力デバイスを、グリップ等のカメラ１０の筐体の撮影者に把持される部分に設ける。後述のレリーズボタン（シャッタスイッチ）に指紋検知デバイスを設けてもよい。レリーズボタンに指紋検知デバイスを設けた場合には、撮影指示を入力する撮影者を確実に検知できる点で、好ましい。
【００３７】
操作部７０は、ユーザがカメラ１０に対し各種の指示を入力するための指示入力デバイスである。本例では、ズームボタン、レリーズボタン（シャッタスイッチ）を含んで構成される。レリーズボタンは２段式であり、第１スイッチ（Ｓ１）のオンで撮影準備指示を受け付け、第２スイッチ（Ｓ２）のオンで撮影指示を受け付ける。
【００３８】
ＬＣＤ（液晶表示デバイス）３０は、電子ビューファインダとして、撮像手段１１で時間的に連続して撮像しているライブビュー画像（スルー画像）をリアルタイムに表示するライブビュー表示に用いられる。ＬＣＤ以外の表示デバイスを用いてもよい。
【００３９】
図２は、第１実施形態のカメラ１０における撮影処理の一例を示すフローチャートである。本処理は、ＣＰＵ６０の制御により、プログラムに従って実行される。
【００４０】
例えば、操作部７０のレリーズボタンが押されると、本処理が開始される。
【００４１】
まず、撮影者認識手段３２により、撮影者認識を行なって、撮影者の顔画像を示す顔画像情報を取得する（ステップＳ２）。顔画像情報は、顔画像そのものでもよいが、顔画像から顔の特徴量（目、鼻、口の相対位置関係や形状など）を検出し、その顔の特徴量を顔画像情報としてもよい。
【００４２】
次に、取得された撮影者の顔画像情報を撮影者記憶手段３４に記憶する（ステップＳ４）。
【００４３】
次に、撮像手段１１により、被写体を撮影する（ステップＳ６）。
【００４４】
次に、画像バッファ２４から撮影画像を取得する（ステップＳ８）。
【００４５】
次に、左右反転手段３６により、撮影画像を左右反転する（ステップＳ１０）。
【００４６】
次に、顔検出手段３８により、左右反転された撮影画像から顔画像を検出する（ステップＳ１２）。
【００４７】
顔画像が検出されたか否かを判定し（ステップＳ１４）、顔画像が検出された場合には、撮影画像から検出された顔画像を、撮影者記憶手段３４に記憶されている撮影者の顔画像情報と照合する（ステップＳ１６）。
【００４８】
照合結果により顔が一致するか否かを判定し（ステップＳ１８）、一致すると判定された場合には、撮影画像内の反射物に撮影者の顔が写り込んでいると判定し（ステップＳ２０）、撮影画像に撮影者が写り込んでいることを示す警告表示を行なう（ステップＳ２２）。警告表示の一例を図３に示す。図３に示すように、警告だけでなく、検出した顔の位置がわかるように枠を表示してもよい。
【００４９】
なお、警告の報知は、表示には限定されず、音出力などで行なってもよい。
【００５０】
また、撮影者の写り込みが検出された場合、ＣＰＵ６０は、警告の報知とともに、撮影画像中に写り込んだ撮影者の顔画像を目立せる表示制御を行うようにしてもよい。即ち、どこに顔が写り込んでいるか撮影者に判りやすくする。
【００５１】
また、本例では、撮影画像内の反射物に撮影者が写り込んでいることを示す警告の報知を行なう場合を例に説明したが、このような本発明は限定されない。
【００５２】
また、例えば、ＣＰＵ６０は、撮影者の写り込みが検出された場合、ＣＰＵ６０は、撮影画像中の顔画像に対し目視で判別できなくする画像処理を行なってもよい。例えば、顔画像の輝度を下げる（暗くする）画像処理、顔画像の色を薄くする色再現変更の画像処理、顔画像をぼかす画像処理、などが挙げられる。
【００５３】
例えば、ＣＰＵ６０は、シャッタスイッチの半押し（撮影準備指示の入力）で撮影者の写り込みを検出し、撮影者が写り込んでいると判定した場合、シャッタスイッチが全押し（撮影指示の入力）されても本撮影を禁止する制御を行ってもよい。即ち、シャッタスイッチのＳ２オンが検知されても、撮影画像を記録媒体２８に記録させない。
【００５４】
また、例えば、ＣＰＵ６０は、本撮影時、撮影画像中に写り込む撮影者の顔画像が目視で判別できなくする撮影制御を行ってもよい。例えば、撮影者の写り込みが検出された場合、自動露出制御（ＡＥ）、自動合焦制御（ＡＦ）、自動ホワイトバランス調整（ＡＷＢ）、フラッシュ調光などの撮影制御により、本撮影時の撮影画像中に写り込む撮影者の顔画像が目視で判別できなくする。ライブビュー画像（スルー画像）の表示時に撮影者の写り込みが検出された場合、顔検出を利用したＡＥ、ＡＦ、ＡＷＢ、フラッシュ調光を行なわない（撮影者の顔を無視する）ようにしてもよい。フラッシュ強制発光とフラッシュ発光量アップにより、撮影画像中の反射物の部分を白トビさせるようにしてもよい。また、撮影レンズ１２に偏光フィルタ（図１では図示を省略）が設けられている構成では、ＣＰＵ６０は、撮影者の写り込みが検出された場合、本撮影時に、偏光フィルタを回動（最大１８０度）して、撮影者を写り込ませない制御を行う。偏光フィルタを１８０度回して、最も写り込みが少なかった角度に設定してもよい。
【００５５】
図４は、図２のステップＳ２の第１の詳細例を示すフローチャートである。本例では、筐体背面のサブ・カメラ（図１では図示を省略）で撮影者を撮影し（ステップＳ２０２）、顔検出手段３８によりサブカメラの撮影画像から顔画像を検出し（ステップＳ２０４）、撮影者の顔画像の認識処理を行なう（ステップＳ２０６）。本例では、顔画像の認識処理にて、撮影者の顔の部品（目、鼻、口など）の特徴量を算出し、その特徴量を顔画像情報として撮影者記憶手段３４に記憶する（図２のステップＳ４）。即ち、顔画像そのものを記憶するのではなく、顔画像を示す特徴量を記憶する。
【００５６】
図５は、図２のステップＳ２の第２の詳細例を示すフローチャートである。本例では、筐体のグリップ（カメラグリップ）に設置された指紋センサで撮影者の認証情報の入力を受け付け（ステップＳ２１２）、その認証情報に対応する顔画像情報をデータベースインタフェース（図１では図示を省略）により所定のデータベースから取得する（ステップＳ２１４）。取得された撮影者の顔画像情報は、撮影者記憶手段３４に記憶される（図２のステップＳ４）。
【００５７】
なお、図２〜図４は、撮影処理の一例を示したにすぎず、これらと異なる処理を排除するものではない。
【００５８】
例えば、撮影者記憶手段３４に、複数の角度から撮影された顔画像情報を記憶させておき、顔照合手段４０により、撮影者記憶手段３４から撮影画角に対応する顔画像情報を選択して取得し、照合を行なうようにしてもよい。
【００５９】
また、筐体背面のサブ・カメラや撮影者が接触型の個人認証デバイスが無く、撮影者記憶手段３４に記憶した特定人物が、被写体側に実際に居るのか、それともカメラを把持しているのか判別できないようなカメラ構成の場合には、セルフタイマ撮影時以外は特定自分物がカメラ１０を把持しているものとみなすとともに、セルフタイマ撮影時のみ特定人物が被写体側に居る可能性があるとみなすようにしてもよい。この場合、セルフタイマ撮影、又は特定時間（例えば１０秒）以上のセルフタイマ撮影が操作部７０により設定されている場合は、特定人物が被写体側に居るものとして、顔照合手段４０が顔照合を行なわないようにしてもよい。
【００６０】
また、左右反転及び上下反転の両方を行なう反転手段を設けて、顔照合手段４０により、左右反転画像及び上下反転画像の両方を用いて照合を行なうようにしてもよい。
【００６１】
＜第２実施形態＞
次に、第２実施形態について、説明する。
【００６２】
図６は、第２実施形態におけるカメラの一例を示すブロック図である。なお、図２に示したものには同じ符号を付した。以下では、第１実施形態とは異なる点について説明し、第１実施形態にて説明した内容はその説明を省略する。
【００６３】
図６にて、本実施形態のカメラ１０は、カメラ１０の外観形状を記憶するカメラ外観形状記憶手段４２と、左右反転手段３６によって左右反転された撮影画像からカメラ１０の筐体画像を検出するカメラ筐体検出手段４４と、カメラ筐体検出手段４４によって検出された筐体画像とカメラ外観形状記憶手段４２に記憶されているカメラ１０の外観形状とを照合するカメラ照合手段４６を備えている。本実施形態にて、ＣＰＵ６０は、顔照合手段４０により前記撮影画像に撮影者の顔画像が写り込んでいることが検出されなかった場合でも、前記装置検出手段により前記外観形状が検出された場合には、前記撮影者の顔の写り込みが検出された場合の制御を行う。
【００６４】
カメラ外観形状記憶手段４２は、例えばＥＥＰＲＯＭ等の不揮発性記憶デバイスによって構成される。カメラ筐体検出手段４４及びカメラ照合手段４６は、例えばマイクロコンピュータや回路デバイスによって構成される。
【００６５】
図７は、第２実施形態のカメラ１０における撮影処理の一例を示すフローチャートである。本処理は、ＣＰＵ６０の制御により、プログラムに従って実行される。
【００６６】
ステップＳ２及びＳ４は、第１実施形態と同様である。
【００６７】
本実施形態では、カメラ外観形状記憶手段４２により、カメラ自身の外観形状情報を予め記憶する（ステップＳ５）。
【００６８】
ステップＳ６〜Ｓ２２は、第１実施形態と同様である。
【００６９】
顔照合手段４０の照合結果により顔が一致しないと判定された場合には、カメラ筐体検出手段４４により、左右反転された撮影画像からカメラ筐体画像（外観形状）を検出する（ステップＳ３０）。カメラ筐体画像が検出されたか否かを判定し（ステップＳ３２）、カメラ筐体画像が検出された場合には、撮影画像から検出されたカメラ筐体画像を、カメラ外観形状記憶手段４２に記憶された外観形状と照合する（ステップＳ３４）。その照合結果により外観形状が一致するか否かを判定し（ステップＳ３６）、一致すると判定された場合には、撮影画像に本撮影装置１０が写りこんでいるのだから撮影者の顔も撮影画像に写り込んでいると判定し（ステップＳ２０）、撮影画像に撮影者が写り込んでいることを示す警告表示を行なう（ステップＳ２２）。
【００７０】
なお、左右反転手段３６により左右反転された撮影画像からカメラ１０の筐体画像を検出する場合を例に説明したが、撮影画像を画像バッファ２４から取得して、その左右反転されていない撮影画像から、反射物で左右反転した筐体画像を検出してもよい。この場合、カメラ外観形状記憶手段４２には予め左右反転した外観形状を記憶させておく。
【００７１】
＜第３実施形態＞
次に、第３実施形態について、説明する。
【００７２】
図８は、第３実施形態におけるカメラの一例を示すブロック図である。なお、図６（第２実施形態）に示したものには同じ符号を付した。以下では、第２実施形態とは異なる点について説明し、第２実施形態にて説明した内容はその説明を省略する。
【００７３】
本実施形態にて、顔検出手段３８、カメラ筐体検出手段４４は、左右反転していない撮影画像からも検出を行なう。
【００７４】
次に、図７のフローチャートを用い、第２実施形態と異なるステップを説明する。
【００７５】
ステップＳ１２にて、顔検出手段３８は、左右反転された撮像画像から顔画像の検出を行なうとともに、左右反転していない撮影画像からも顔画像の検出を行なう。ステップＳ１４では、左右反転された撮影画像から顔画像が検出されなかった場合でも、左右反転していない撮影画像から顔画像が検出された場合には、ステップＳ１６に進む。
【００７６】
また、ステップＳ３０にて、カメラ筐体検出手段４４は、左右反転された撮像画像から筐体画像の検出を行なうとともに、左右反転していない撮影画像からも筐体画像の検出を行なう。ステップＳ３２では、左右反転された撮影画像から筐体画像が検出されなかった場合でも、左右反転していない撮影画像から筐体画像が検出された場合には、ステップＳ３４に進む。
【００７７】
本実施形態によれば、撮影者がカメラ１０を把持していることが、例えば筐体背面のサブ・カメラや指紋センサ等の個人認証デバイスにより明らかであれば、２回反射で撮影者が写り込む場合も的確に検出することが可能である。
【００７８】
なお、撮影者本人が被写体側に居るのか居ないのか判別できない場合（例えばサブ・カメラ及び個人認証デバイスをカメラ１０に実装しない場合）には、左右反転された撮影画像を用いた照合結果と左右反転されていない撮影画像を用いた照合結果とを比較することで、撮影画像内の反射物に撮影者が写り込んでいるのか、例えばセルフタイマ撮影により撮影者本人が適正に写り込んでいるのかを判別してもよい。つまり、ＣＰＵ６０は、左右反転された撮影画像から検出された顔画像と、撮影者記憶手段３４に左右反転しないで予め記憶させておいた顔画像との差分を△ｒ、左右反転されていない撮影画像から検出された顔画像と撮影者記憶手段３４に左右反転しないで予め記憶させておいた顔画像との差分を△ｎとしたとき、△ｒ＞△ｎであれば撮影画像内の反射物に撮影者が写り込んでいたのであり、△ｒ＜△ｎであれば撮影者本人が実際に写り込んでいたものを判別する。この場合、２回反射が稀少であることを前提にして、反射なしの顔画像と１回反射した顔画像とを区別して検出精度を向上させるのに有効である。
【００７９】
＜第４実施形態＞
次に、第４実施形態について、説明する。
【００８０】
図９は、第４実施形態におけるカメラの一例を示すブロック図である。なお、図６（第２実施形態）に示したものには同じ符号を付した。以下では、第２実施形態とは異なる点について説明し、第２実施形態にて説明した内容はその説明を省略する。
【００８１】
本実施形態にて、顔照合手段４０及びカメラ照合手段４６は、画像照合を行なう際に色で照合を行わず輝度で照合を行なう。図９に示すように、本例の左右反転手段３６は、撮影画像を構成するＹ（輝度）信号及びＣｒＣｂ（色）信号のうちで輝度信号のみを入力して左右反転を行なう。即ち、顔検出手段３８は輝度信号のみからなる撮影画像から顔画像の検出を行ない、顔照合手段４０は輝度のみによって照合を行なう。また、カメラ筐体検出手段４４は輝度信号のみからなる撮影画像から筐体画像の検出を行ない、カメラ照合手段４６は輝度のみによって照合を行なう。
【００８２】
左右反転されていない撮影画像に基づく照合は、左右反転された撮影画像に基づく照合よりも、優先度を下げる態様としてもよい。例えば、撮影者記憶手段３４に、左右反転した撮影者の顔画像情報と左右反転しない撮影者の顔画像とを記憶させておく。顔照合手段４０は、左右反転された撮影画像から検出された顔画像と撮影者記憶手段３４内の予め左右反転された撮影者の顔画像とを照合するとともに、左右反転されていない撮影画像から検出された顔画像と撮影者記憶手段３４内の左右反転されていない撮影者の顔画像とを照合する。
【００８３】
ＣＰＵ６０は、例えば、左右反転した撮影画像から検出された顔画像の照合で一致が検出された場合には、強制的な本撮影の禁止を行ない、左右反転しない撮影画像から検出された顔画像の照合で一致が検出された場合には、警告表示のみ行なって、本撮影は許可する。後者の場合、２回反射であるか、セルフタイマ等で撮影者本人が適正に撮影されたかの判別が容易でないからである。
【００８４】
＜第５実施形態＞
次に、第５実施形態について説明する。
【００８５】
図１０は、第５実施形態におけるカメラの一例を示すブロック図である。なお、図６（第２実施形態）に示したものには同じ符号を付した。以下では、第２実施形態とは異なる点について説明し、第１実施形態及び第２実施形態にて説明した内容はその説明を省略する。
【００８６】
図１０にて、本実施形態のカメラ１０は、本撮影装置の筐体前面に配置され、特定の発光パターンで発光する発光手段５０と、発光手段５０から発光する特定の発光パターンを記憶する発光パターン記憶手段５２と、撮像手段１１により得られた撮影画像から発光手段５０の発光パターンを検出する発光パターン検出手段５４を備える。本実施形態にて、ＣＰＵ６０は、顔照合手段４０にて撮影画像に撮影者の顔が写りこんでいると判定されなかった場合でも、発光パターン検出手段５４にて撮影画像から特定の発光パターンが検出された場合には、撮影画像に撮影者の顔が写り込んでいると判定する。
【００８７】
発光手段５０は、例えば、ＬＥＤ（発光ダイオード）、サブ・ＬＣＤ（サブ・液晶表示デバイス）などによって、構成されている。発光パターン記憶手段５２は、例えばＥＥＰＲＯＭ等の不揮発性記憶デバイスによって構成される。発光パターン検出手段５４は、例えばマイクロコンピュータや回路デバイスによって構成される。
【００８８】
図１１は、第５実施形態のカメラ１０における撮影処理の一例を示すフローチャートである。本処理は、ＣＰＵ６０の制御により、プログラムに従って実行される。
【００８９】
ステップＳ２〜Ｓ２２及びステップＳ３０〜３６は、第２実施形態と同様である。
【００９０】
顔が一致しないと判定され（ステップＳ１８でＮｏ）、且つ、外観形状情報と一致しないと判定された場合（ステップＳ３６でＮｏ）、発光パターン記憶手段５２に記憶された発光パターンで発光手段５０により筐体前面から発光し（ステップＳ４０）、撮像手段１１により撮影を行って（ステップＳ４２）。画像バッファ２４から撮影画像を取得し（ステップＳ４４）、発光パターン検出手段５４により撮影画像から特定の発光パターンを検出する（ステップＳ４６）。発光パターン検出手段５４にて検出された発光パターンが発光パターン記憶手段５２に記憶された発光パターンと一致するか否かを判定し（ステップＳ４８）、一致した場合（即ち撮影画像から特定の発光パターンが検出された場合）、ステップＳ２０に進む。このように本実施形態では、顔照合手段４０にて撮影画像に撮影者の顔が写り込んでいると判定されず、且つ、カメラ照合手段４６にて撮影画像に本カメラ１０が写り込んでいると判定されなかった場合でも、発光パターン検出手段５４にて撮影画像から特定の発光パターンが検出された場合には、撮影画像に撮影者の顔の写り込みが検出された場合の制御を行う。制御の詳細は第１実施形態にて説明した通りである。
【００９１】
＜第６実施形態＞
次に、第６実施形態について説明する。本実施形態では、カメラ１０の筐体前面に表示されるデザインを撮影画像から検出する。
【００９２】
図１２は、第６実施形態におけるカメラの一例を示すブロック図である。なお、図６（第２実施形態）に示したものには同じ符号を付した。以下では、第２実施形態とは異なる点について説明し、第１実施形態及び第２実施形態にて説明した内容はその説明を省略する。
【００９３】
図１２にて、本実施形態のカメラ１０は、カメラ１０の筐体前面に表示される特定のデザインを記憶するデザイン記憶手段５６と、左右反転手段３６により反転された撮影画像から、デザイン記憶手段５６に記憶されている特定のデザインを検出するデザイン検出手段５８とを備える。デザイン記憶手段５６は、例えばＥＥＰＲＯＭ等の不揮発性記憶デバイスによって構成される。デザイン検出手段５８は、例えばマイクロコンピュータや回路デバイスによって構成される。
【００９４】
特定のデザインとは、特定の形状、模様若しくは色彩又はこれらを組み合わせたものである。例えば、カメラ１０のロゴ、カメラ１０の製造メーカのロゴなどが挙げられる。
【００９５】
本実施形態にて、ＣＰＵ６０は、顔照合手段４０にて撮影画像に撮影者の顔が写りこんでいると判定されなかった場合でも、デザイン検出手段５８にて撮影画像から特定のデザインが検出された場合には、撮影画像に撮影者の顔が写り込んでいると判定する。
【００９６】
図１３は、第６実施形態のカメラ１０における撮影処理の一例を示すフローチャートである。本処理は、ＣＰＵ６０の制御により、プログラムに従って実行される。
【００９７】
ステップＳ２〜Ｓ２２及びステップＳ３０〜３６は、第２実施形態と同様である。
【００９８】
顔が一致しないと判定され（ステップＳ１８でＮｏ）、且つ、外観形状が一致しないと判定された場合（ステップＳ３６でＮｏ）、デザイン検出手段５８により、左右反転された撮影画像から、デザイン記憶手段５６に記憶された特定のデザインを検出する（ステップＳ５０）。デザイン検出手段５８にて検出されたデザインがデザイン記憶手段５６に記憶されたデザインと一致するか否かを判定し（ステップＳ５２）、一致した場合（即ち撮影画像から特定のデザインが検出された場合）、ステップＳ２０に進む。このように本実施形態では、顔照合手段４０にて撮影画像に撮影者の顔が写り込んでいると判定されず、且つ、カメラ照合手段４６にて撮影画像に本カメラ１０が写り込んでいると判定されなかった場合でも、デザイン検出手段５８にて撮影画像から特定のデザインが検出された場合には、撮影画像に撮影者の顔が写り込んでいると判定する。
【００９９】
このように本実施形態では、顔照合手段４０にて撮影画像に撮影者の顔が写り込んでいると判定されず、且つ、カメラ照合手段４６にて撮影画像に本カメラ１０が写り込んでいると判定されなかった場合でも、デザイン検出手段５８にて撮影画像から特定のデザインが検出された場合には、撮影画像に撮影者の顔の写り込みが検出された場合の制御を行う。制御の詳細は第１実施形態にて説明した通りである。
【０１００】
なお、左右反転手段３６により左右反転された撮影画像からデザインを検出する場合を例に説明したが、撮影画像を画像バッファ２４から取得して、その左右反転されていない撮影画像から、反射物で左右反転したデザインを検出してもよい。この場合、デザイン記憶手段５６には予め左右反転したデザインを記憶させておく。
【０１０１】
＜第７実施形態＞
次に、第７実施形態について説明する。本実施形態では、撮影画像から顔画像を検出した後、その顔画像を左右反転する。
【０１０２】
図１４は、第７実施形態におけるカメラの一例を示すブロック図である。なお、図１（第１実施形態）に示したものには同じ符号を付した。以下では、第１実施形態とは異なる点について説明し、第１実施形態にて説明した内容はその説明を省略する。
【０１０３】
図１４にて、顔検出手段３８は、撮像手段１１により得られて左右反転手段３６により左右反転されていない撮影画像から、顔画像を検出する。左右反転手段３６は、顔検出手段３８により撮影画像から検出された顔画像を、左右反転する。顔照合手段４０は、左右反転していない撮影画像から検出されて左右反転手段３６により左右反転された顔画像を、撮影者記憶手段３４に記憶されている顔画像情報と照合して、撮影画像内の反射物に撮影者の顔が写り込んでいることを検出する。
【０１０４】
図１５は、第７実施形態のカメラ１０における撮影処理の一例を示すフローチャートである。本処理は、ＣＰＵ６０の制御により、プログラムに従って実行される。
【０１０５】
ステップＳ２〜Ｓ８及びステップＳ１４〜Ｓ２２は、第１実施形態と同様である。
【０１０６】
本実施形態では、ステップＳ７０にて、顔検出手段３８により、画像バッファ２４から撮影画像を取得して顔画像の検出を行ない、次に、ステップＳ７２にて、左右反転手段３６により顔画像を左右反転する。
【０１０７】
＜第８実施形態＞
次に、第８実施形態について説明する。本実施形態では、撮影者の顔画像を予め左右反転して記憶しておく。
【０１０８】
図１６は、第８実施形態におけるカメラ１０の一例を示すブロック図である。なお、図１２（第６実施形態）に示したものには、同じ符号を付した。以下では、第６実施形態と異なる事項について説明し、説明済みの事項はその説明を省略する。
【０１０９】
図１６に示す本実施形態のカメラ１０にて、撮影者認識手段３２は、撮影者の顔画像を取得するとともに、顔画像の認識処理を行なう。本実施形態の左右反転手段３６は、撮影者認識手段３２により取得された撮影者の顔画像を、左右反転する。撮影者記憶手段３４は、左右反転手段３６により左右反転された顔画像を、記憶する。
【０１１０】
顔照合手段４０は、顔検出手段３８により撮影画像から直接的に検出された顔画像を、撮影者記憶手段３４に記憶されている左右反転された顔画像と照合して、撮影画像内の反射物に撮影者の顔が写り込んでいることを検出する。
【０１１１】
図１７は、第８実施形態のカメラ１０における撮影者認識処理例を示すフローチャートである。本処理は、ＣＰＵ６０の制御により、プログラムに従って実行される。
【０１１２】
ステップＳ２０２〜Ｓ２０４は、図４に示した第１実施形態における各ステップと同様である。
【０１１３】
ステップＳ２０５にて、左右反転手段３６は、筐体背面のサブ・カメラで撮影者を撮影して得られた撮影者の顔画像を、左右反転する。
【０１１４】
ステップＳ２０６にて、撮影者認識手段３２は、撮影者の顔の部品（目、鼻、口など）の特徴量を算出し、その特徴量を顔画像情報として撮影者記憶手段３４に記憶する。即ち、左右反転した顔画像の特徴量を予め記憶する。
【０１１５】
図１８は、第８実施形態のカメラ１０における撮影処理例を示すフローチャートである。本処理は、ＣＰＵ６０の制御により、プログラムに従って実行される。
【０１１６】
ステップＳ２〜Ｓ８、ステップＳ１４〜Ｓ２２及びＳ３０〜Ｓ５２は、第６実施形態と同様である。本実施形態では、ステップＳ１２にて、顔検出手段３８により、画像バッファ２４から、左右判定していない撮影画像を取得して、顔画像の検出を行う。したがって、ステップＳ１６では、左右反転していない撮影画像から検出された顔画像と、撮影者記憶手段３４に記憶されている予め左右反転された撮影者の顔画像情報とが、照合される。
【０１１７】
以上、第１実施形態から第８実施形態まで説明の便宜上分けて説明したが、これらの実施形態は単独で実施してもよいし、可能な組み合わせにより実施してもよいことは、言うまでもない。
【０１１８】
本発明の適用は、デジタルカメラやビデオカメラなどに特に限定されず、携帯電話、携帯型プレーヤ、小型のパーソナルコンピュータなど、他の装置にも適用可能である。即ち、撮影手段を備えた各種の電子機器（撮影装置）、および、画像処理機能を有した各種の電子機器（画像処理装置）に適用可能である。
【０１１９】
本発明は、本明細書において説明した例や図面に図示された例には限定されず、本発明の要旨を逸脱しない範囲において、各種の設計変更や改良を行ってよいのはもちろんである。
【符号の説明】
【０１２０】
１０…撮影装置、１１…撮像手段、１４…撮像素子、２４…画像バッファ、２８…記録媒体、３０…ＬＣＤ（表示手段）、３２…撮影者認識手段、３４…撮影者記憶手段、３６…左右反転手段、３８…顔検出手段、４０…顔照合手段、４２…カメラ外観形状記憶手段、４４…カメラ筐体検出手段、４６…カメラ照合手段、５０…発光手段、５２…発光パターン記憶手段、５４…発光パターン検出手段、５６…デザイン記憶手段、５８…デザイン検出手段、６０…ＣＰＵ、７０…操作部、
【図１】
2012119912.tif 000003
【図２】
2012119912.tif 000004
【図３】
2012119912.tif 000005
【図４】
2012119912.tif 000006
【図５】
2012119912.tif 000007
【図６】
2012119912.tif 000008
【図７】
2012119912.tif 000009
【図８】
2012119912.tif 000010
【図９】
2012119912.tif 000011
【図１０】
2012119912.tif 000012
【図１１】
2012119912.tif 000013
【図１２】
2012119912.tif 000014
【図１３】
2012119912.tif 000015
【図１４】
2012119912.tif 000016
【図１５】
2012119912.tif 000017
【図１６】
2012119912.tif 000018
【図１７】
2012119912.tif 000019
【図１８】
2012119912.tif 000020
【図１９】
2012119912.tif 000021